(57)【特許請求の範囲】
【請求項１】
設備において発生した事象を検出する検出部と、
前記検出部で検出した情報を無線で送信する送信部と、
設備のオペレータが所有し、前記送信部からの情報を無線で受信して表示する受信端末と、を備え、
前記受信端末には、設備または送信部のＩＤ番号の論理和もしくは論理積を含む論理式を設定することにより、複数もしくは単数の送信部から送信された情報のうちから、受信する情報を選択する選択手段が設けられたメッセージ通知システム。
【請求項２】
設備が、プリント基板に部品を実装するための実装機である請求項１に記載のメッセージ通知システム。
【請求項３】
設備において発生した事象を検出部により検出し、
前記検出した情報を送信部により無線で送信し、
設備のオペレータが所有する受信端末により、前記送信部からの情報を無線で受信して表示するメッセージ通知方法であって、
前記受信端末において、選択手段により、設備または送信部のＩＤ番号の論理和もしくは論理積を含む論理式を設定することによって、複数もしくは単数の送信部から送信された情報のうちから、受信する情報を選択するメッセージ通知方法。
【請求項４】
設備において発生した事象を検出し無線で送信された情報を無線で受信し、受信した情報を表示する表示エリアと、
設備または送信部のＩＤ番号の論理和もしくは論理積を含む論理式を設定することにより、複数もしくは単数の送信部から送信された情報のうちから、受信する情報を選択する選択手段と
、を備えたメッセージ受信端末。
【発明の詳細な説明】
【０００１】
【発明の属する技術分野】
本発明は、回路基板に部品を実装する実装機などにおいて発生した様々な事象に対し、オペレータが所有する受信端末にメッセージを通知するシステム、方法および受信したメッセージを通知する受信端末に関するものである。
【０００２】
【従来の技術】
近年、回路基板に部品を実装する実装機においては、２４時間，３６５日の稼働による設備の長時間稼働を実現するとともに、部品切れ停止や設備トラブルによって停止する時間を短縮させて稼働率を向上させる取り組みが行われてきている。
【０００３】
メッセージ通知システムとしては以下のようなものを提案できる。
すなわち、実装機などの設備において発生する様々な事象について、検出された情報についての危険度、緊急度の情報を加味しながら必要に応じて呼出し機から送信する順序を動的に変更することによって、オペレータが本当に必要とする情報をその順序通りに通知するシステムを提供したり、呼出しモードという概念を導入することによって、そのグループ、あるいは一括呼出しなどにより、１つの設備の情報を必要なオペレータにリアルタイム（時間遅れ無し）に送信することができるシステムを提供したりすることが考えられる。
【０００４】
以下、実装機などの設備のメッセージ通知システムについて図面を参照しながら説明する。
図９は、このメッセージ通知システムの受信端末（ページャ）を示す正面図である。図９に示すように、受信端末１には、送信された情報を文字で表示するメッセージ表示エリア２と、過去に受信したメッセージの履歴を見るためのメッセージロールアップキー３およびロールダウンキー４と、送信されてきた情報の危険度（重要度）を赤色表示部５，黄色表示部６，青色表示部７にて示す危険度表示エリア８とが設けられている。
【０００５】
図１０は、メッセージ呼出し側のシステムの構成を示した図である。図１０に示すように、メッセージ呼出し側のシステムには、実装機などの設備１０からの情報を検出する検出部９ａと、情報を受信端末１へ送信する送信部９ｂとからなる呼出し機９が設けられている。
【０００６】
図１１は、メッセージ通知システムの制御動作を示すフローチャートで、設備１０で事象が発生して受信端末１がメッセージを受信するまでの手順を説明したものである。
【０００７】
すなわち、ステップ＃１において、設備１０での事象発生を呼出し機９の検出部９ａにて検出すると、ステップ＃２において、予め登録されているメッセージを発生事象に基づいて決定した後、このメッセージを送信部９ｂから送信する（ステップ＃３）。受信端末１では、このメッセージを受信して（ステップ＃４）、ブザーを鳴らしたり、振動を発生してオペレータに通知し（ステップ＃５）、メッセージを表示する（ステップ＃６）。
【０００８】
図１２は、他のメッセージ呼出し側のシステムの一例を示した図である。図１２に示すように、メッセージ呼出し側のシステムは、情報を送信する呼出し機９と、複数の設備１０、１１、１２からの情報を検出する検出回路１３とを備えており、検出回路１３内には複数の設備１０、１１、１２からの送信すべき情報を貯めておくキュー（ＦＩＦＯ：First-In-First-Out方式：先入れ先出し方式）を有している。
【０００９】
図１３に示すように、このメッセージ呼出し側のシステムにおいては、検出回路１３内で、複数の設備１０、１１、１２からの送信すべき情報を貯めておくキューの情報を緊急度Ａ、Ｂ、Ｃにより動的に並び替えを行う。呼出し機９は、緊急度の高いものから、例えば（カサイハッセイ）、（トラブルハッセイ）、（ブヒンギレハッセイ）の順で送信する。また、送信については、モードの指示に従い、（カサイハッセイ）のメッセージについてはすべてのオペレータに情報を同時送信し、（トラブルハッセイ）については、グループ１に所属するすべてのオペレータに情報を同時送信し、（ブヒンギレハッセイ）については、１００番のオペレータに情報を送信する。
【００１０】
その動作の概略を説明すると、設備１０、１１、１２で発生した設備トラブルなどの情報に対し、まず、その情報を検出回路１３にて検出し、その情報の発生順にキューに貯める。その後、キューの情報を緊急度Ａ、Ｂ、Ｃにより動的に並び替えを行った後に、それぞれの設備ごとにあらかじめ設定されたオペレータ全員にその情報を送信する仕組みである。
【００１１】
図１４は、受信端末１への送信情報について説明するための図である。その方式には大別して方式（１）と（２）の２つがある。方式（１）については、図１２のメッセージデータを緊急度に応じた順序で送信する。方式（２）については、送信情報の蓄えられたキューの情報を緊急度Ａ、Ｂ、Ｃに応じて動的に並び替えを行った後、それらのキューに蓄えられた情報を１つの情報に加工して、呼出し機９から一度に送信する。
【００１２】
【発明が解決しようとする課題】
しかしながら上記のような構成では、以下のような問題がある。
呼出し機９においては呼出しモードという概念はあるものの、呼出し機９側において、情報を何れの受信端末１に送るかが指定されるとともに、受信情報も選択できないため、オペレータがほしい情報を変更しようとすると、呼出し機９における設定の変更が余儀なくされる。
【００１３】
本発明は、上記の問題を解決するもので、オペレータの所有する受信端末において、オペレータがその状況に応じて情報を選択することができ、また、事象内容を直感的に理解できるメッセージ通知システム、メッセージ通知方法およびメッセージ受信端末を提供することを目的とするものである。
【００１４】
【課題を解決するための手段】
上記問題点を解決するために、本発明のメッセージ通知システムは、設備において発生した事象を検出する検出部と、
前記検出部で検出した情報を無線で送信する送信部と、
設備のオペレータが所有し、前記送信部からの情報を無線で受信して表示する受信端末と、を備え、
前記受信端末には、設備または送信部のＩＤ番号の論理和もしくは論理積を含む論理式を設定することにより、複数もしくは単数の送信部から送信された情報のうちから、受信する情報を選択する選択手段が設けられたものである。
【００１５】
上記構成により、オペレータの所有する受信端末において、設備や送信部または受信情報内容を選択する選択手段を設け、例えば選択手段は、複数個の送信部あるいは単数個の送信部から発信された複数の情報のうち、どの情報を受信するかを送信部の端末番号、実装機などの設備の番号などのＩＤ番号の論理式にて設定できるようにすることにより、受信端末側で送信部や設備または受信情報内容を選択して情報を得ることができる。
【００１６】
【発明の実施の形態】
以下、本発明の実施の一形態にかかる実装機においてのメッセージ通知システムを図面に基づき説明する。なお、従来と同機能のものには同符号を付す。
【００１７】
図２は、メッセージ通知システムにおけるメッセージ呼出し側のシステム構成を示している。図２の（ａ）に示すものにおいては、呼出し機９内に、実装機などの設備１０において発生した事象を検出し、検出情報を概要伝文部情報と詳細伝文部情報とに分類する検出部９ｃと、これらの概要伝文部情報と詳細伝文部情報とを含んだ概要詳細情報を無線で出力する送信部９ｂとが設けられている。なお、図２の（ｂ）に示すように、検出部９ｃを設備１０内に設けてもよい。
【００１８】
図３は、メッセージ通知システムにおける受信端末を示す図である。図３に示すように、受信端末１には、送信された情報を文字で表示するメッセージ表示エリア２と過去に受信したメッセージの履歴を見るためのメッセージロールアップキー３およびロールダウンキー４と、送信されてきた情報の危険度（重要度；赤色表示部５、黄色表示部６、青色表示部７）を示す危険度表示エリア８と、送信されてきた情報の概要部と詳細部の切り替えを行う表示切換手段としてのキー１４とにより構成されている。なお、危険度表示エリア８がない構成でもよい。
【００１９】
図１は、このメッセージ通知システムの制御動作を示すフローチャートで、設備１０で事象が発生して受信端末１がメッセージを受信するまでの手順を説明したものである。
【００２０】
ステップ＃１１において、呼出し機９の検出部９ａにて設備１０での事象発生を検出すると、ステップ＃１２において、予め登録されているメッセージを発生事象に基づいて決定した後、決定されたメッセージを概要部と詳細部とに分割し（ステップ＃１３）、この分割メッセージを送信部９ｂから送信する（ステップ＃１４）。受信端末１では、このメッセージを受信して（ステップ＃１５）、ブザーを鳴らしたり、振動を発生してオペレータに通知し（ステップ＃１６）、概要部のメッセージを表示する（ステップ＃１７）。そして、キー１４が押されると詳細部のメッセージを表示する（ステップ＃１８）。
【００２１】
図４から図７を参照しながら、設備１０にて発生した事象を情報の概要部、詳細部に分けて伝達表示する例について説明する。
図４は、本発明のメッセージ通知システムにおけるロット生産終了時のメッセージ伝送例を示している。図４に示すように、設備１０にて現生産ロットが終了した時点で指定された受信端末１に対して、概要情報（ロット名、生産枚数などのそのロットに関する概要情報）と詳細情報（ロット名、生産枚数、総部品実装点数、エラー発生数、生産時間、生産管理情報、カセット情報、ノズル情報、品質情報などの現生産ロットの詳細情報と、次生産ロットのロット名、生産予定枚数、実装プログラム名、部品準備、搭載指示情報などの次生産ロットの詳細情報など）を伝送する。オペレータには、現生産ロットが終了した段階で、設備１０から呼出し機９を通じて概要情報と詳細情報が受信端末１に伝送される。受信端末１では、まず振動やブザーなどの音とともに、図４に示す概要情報の文字でメッセージ表示エリア２に表現される。その後オペレータによるキー１４の操作により、概要情報、詳細情報が切り替え表示されるようになる。
【００２２】
図５は、本発明のメッセージ通知システムにおける部品切れ発生時のメッセージ伝送例を示している。図５に示すように、設備１０にて部品切れが発生した時点で、指定された受信端末に対して、概要情報（ライン名、設備名、部品セット位置情報などの概要情報）と詳細情報（ライン名、設備名、部品セット位置情報、部品名、部品員数、部品極性情報などの詳細情報）を伝送する。オペレータには、部品切れが発生した段階で、設備１０から呼出し機９を通じて概要情報と詳細情報が受信端末１に伝送される。受信端末１では、まず振動やブザーなどの音とともに、図５に示す概要情報の文字で表現される。その後、オペレータの操作により、概要情報、詳細情報がキー１４にて切り替え表示される。図５の詳細情報については、メッセージ表示エリア２に、部品をどの方向でセットすべきかを文字とともに、絵で表示することが特徴であり、このことにより極性部品の設備へのセットにミスがなくなることが期待できる。
【００２３】
図６は、本発明のメッセージ通知システムにおけるエラー発生時のメッセージ伝送例１を示している。図６に示すように、設備１０にてエラーが発生した時点で、指定された受信端末に対して、概要情報（ライン名、設備名、エラー名・エラー番号などの概要情報）と詳細情報（ライン名、設備名、エラー名・エラー番号、メンテナンス指示などの詳細情報）を伝送する。オペレータには、エラーが発生した段階で、設備１０から呼出し機９を通じて概要情報と詳細情報が受信端末１に伝送される。受信端末１では、まず振動やブザーなどの音とともに、図６に示す概要情報の文字で表現される。その後、オペレータの操作により、概要情報、詳細情報がキー１４にて切り替え表示される。図６の詳細情報については、メッセージ表示エリア２に、絵でメンテナンス指示を表示することが特徴である。
【００２４】
図７は、本発明のメッセージ通知システムにおけるエラー発生時のメッセージ伝送例２を示している。図７に示すように、設備１０にてエラーが発生した時点で指定された受信端末に対して、概要情報（ライン名、設備名、エラー名・エラー番号などの概要情報）と詳細情報（ライン名、設備名、エラー名・エラー番号、メンテナンス指示、各種警告、注意情報などの詳細情報）を伝送する。オペレータには、エラーが発生した段階で、設備１０から呼出し機９を通じて概要情報と詳細情報が受信端末１に伝送される。受信端末１では、まず振動やブザーなどの音とともに、図７に示す概要情報の文字で表現される。その後オペレータの操作により、概要情報、詳細情報がキー１４にて切り替え表示されるようになる。図７の詳細情報については、メンテナンス時、エラー解除操作時における安全情報（高温注意、感電注意）をメッセージ表示エリア２に絵で表示することが特徴である。
【００２５】
このように、これらのメッセージ通知システムによれば、オペレータの所有する受信端末１において、設備１０で発生した様々な事象の情報の危険度や緊急度等の情報をもとに概要伝文部と詳細伝文部に分類することにより、オペレータがその状況に応じて全メッセージ（概要伝文部と詳細伝文部）を確認するかどうかを決定できるとともに、概要伝文部しか確認しなかったメッセージに対しても後でオペレータの余裕のあるときに確認できるようになる。
【００２６】
また、受信端末１の表示部を、受信した情報に応じて、文字だけでなく絵を表示可能に構成することにより、実装機などの設備１０で発生した事象の状況を絵により直感的に理解することができる。
【００２７】
図８は、本発明の他の実施の形態にかかるメッセージ通知システムを示すものである。このメッセージ通知システムにおいては、オペレータの所有する受信端末１において、複数個の呼出し機９あるいは単数個の呼出し機９から発信された複数の情報のうち、どの情報を受信するかを端末番号、実装機番号などのＩＤ番号の論理式にて設定できる選択手段（図示せず）が設けられている。
【００２８】
図８において、例１は、設備１０で発生した事象のみの情報を受信する場合の論理式を示しており、例２は、設備１０または設備１１で発生した事象のみの情報を受信する場合の論理式を示しており、例３は、設備１１または設備１２で発生した事象のみの情報を受信する場合の論理式を示しており、例４は、設備１０と設備１１で同時に発生した事象のみの情報を受信する場合の論理式を示している。このことにより、オペレータの受信端末１にて受信するメッセージを各種ＩＤ番号の論理式を用いて設定できるようになり、オペレータが欲しい情報を変更する際、呼出し機９の設定の変更が不要になる。
【００２９】
なお、上記説明において、設備１０，１１，１２が実装機である場合について説明したが、一般の加工用、または組立用設備についても同様の効果が期待できるのはいうまでもない。
【００３０】
【発明の効果】
以上のように、本発明によれば、オペレータの所有する受信端末において、設備や送信部または受信情報内容を選択する選択手段を設け、例えば選択手段は、複数個の送信部あるいは単数個の送信部から発信された複数の情報のうち、どの情報を受信するかを送信部の端末番号、実装機などの設備の番号などのＩＤ番号の論理式にて設定できるようにすることにより、受信端末側で送信部や設備または受信情報内容を選択して情報を得ることができる。
【図面の簡単な説明】
【図１】本発明の実施の一形態にかかるメッセージ通知システムの制御動作を示すフローチャート
【図２】（ａ）および（ｂ）はそれぞれ同メッセージ通知システムのシステム構成を示す図
【図３】同メッセージ通知システムの受信端末を示す正面図
【図４】同メッセージ通知システムのロット生産終了時のメッセージ伝送例を示す図
【図５】同メッセージ通知システムの部品切れ発生時のメッセージ伝送例を示す図
【図６】同メッセージ通知システムのエラー発生時のメッセージ伝送例１を示す図
【図７】同メッセージ通知システムのエラー発生時のメッセージ伝送例２を示す図
【図８】本発明の他の実施の形態にかかるメッセージ通知システムの構成を示す図
【図９】従来のメッセージ通知システムの受信端末を示す正面図
【図１０】同従来のメッセージ通知システムのシステム構成を示す図
【図１１】同従来のメッセージ通知システムの制御動作を示すフローチャート
【図１２】同従来のメッセージ通知システムの構内受信端末システムの構成を示す図
【図１３】同従来のメッセージ通知システムの送信情報を説明するための図
【図１４】同従来のメッセージ通知システムのメッセージ送信順序を説明するための図
【符号の説明】
１                    受信端末（ページャ）
２                    メッセージ表示エリア
９                    呼出し機
９ｂ                  送信部
９ｃ                  検出部
１０，Ａ，Ｂ，Ｃ      設備
１４                  キー（表示切換手段）
【図１】
0003916539.tif 000002
【図２】
0003916539.tif 000003
【図３】
0003916539.tif 000004
【図４】
0003916539.tif 000005
【図５】
0003916539.tif 000006
【図６】
0003916539.tif 000007
【図７】
0003916539.tif 000008
【図８】
0003916539.tif 000009
【図９】
0003916539.tif 000010
【図１０】
0003916539.tif 000011
【図１１】
0003916539.tif 000012
【図１２】
0003916539.tif 000013
【図１３】
0003916539.tif 000014
【図１４】
0003916539.tif 000015